(57)【特許請求の範囲】
【請求項１】
円筒状でなり回転可能に支持され紙葉状の媒体を周側面に巻き付けることにより、当該周側面に対向する対向部と当該周側面との間に上記媒体を保持するドラムと、
一端が上記ドラムの周側面に巻き付けられ、当該ドラムの回転に伴い、上記媒体を当該ドラムの周側面との間に挟んで巻き付けるテープと、
第１の端部が上記ドラム近傍まで伸び、上記ドラムに対し可動すると共に、上記第１の端部が上記対向部よりも上記ドラムから離隔して位置する可動部と
を有し、
上記第１の端部には、可動部凹部が設けられ、
上記対向部には、上記第１の端部に向かって突出し、上記可動部凹部と噛合する対向爪部が設けられ、
上記可動部は、上記ドラムに上記媒体が最も少ない数量巻き付いた最薄状態から、上記ドラムに上記媒体が最も多い数量巻き付いた最厚状態にかけて、上記第１の端部が上記対向部よりも上記ドラムから離隔して位置している
媒体収納繰出装置。
【請求項２】
上記最厚状態において、上記媒体が上記ドラムから繰り出される際に進む進行方向と、上記ドラムに対向する上記第１の端部との角度が３０度以下である
請求項１に記載の媒体収納繰出装置。
【請求項３】
上記可動部は、上記ドラムの周側面を一方から覆うような、湾曲した板状に形成されている
請求項１に記載の媒体収納繰出装置。
【請求項４】
上記可動部は、上記ドラムの周側面を覆う面がほぼ平面状に形成された平面部分を具え、当該平面部分よりも上記第１の端部側において、上記ドラムの周側面を覆う面が上記ドラムの周側面よりも大きな曲率半径の円弧を描くように形成されている
請求項３に記載の媒体収納繰出装置。
【請求項５】
上記可動部は、上記ドラムを上側から覆うように形成されている
請求項３に記載の媒体収納繰出装置。
【請求項６】
紙葉状の媒体に関する取引を受け付ける接客部と、
上記接客部により受け付けた上記媒体を搬送する搬送部と、
円筒状でなり回転可能に支持され上記媒体を周側面に巻き付けることにより、当該周側面に対向する対向部と当該周側面との間に上記媒体を保持するドラムと、
一端が上記ドラムの周側面に巻き付けられ、当該ドラムの回転に伴い、上記媒体を当該ドラムの周側面との間に挟んで巻き付けるテープと、
第１の端部が上記ドラム近傍まで伸び、上記ドラムに対し可動すると共に、上記第１の端部が上記対向部よりも上記ドラムから離隔して位置する可動部と
を有し、
上記第１の端部には、可動部凹部が設けられ、
上記対向部には、上記第１の端部に向かって突出し、上記可動部凹部と噛合する対向爪部が設けられ、
上記可動部は、上記ドラムに上記媒体が最も少ない数量巻き付いた最薄状態から、上記ドラムに上記媒体が最も多い数量巻き付いた最厚状態にかけて、上記第１の端部が上記対向部よりも上記ドラムから離隔して位置している
媒体取引装置。
【請求項７】
円筒状でなり回転可能に支持され紙葉状の媒体を周側面に巻き付けることにより、当該周側面に対向する対向部と当該周側面との間に上記媒体を保持するドラムと、
一端が上記ドラムの周側面に巻き付けられ、当該ドラムの回転に伴い、上記媒体を当該ドラムの周側面との間に挟んで巻き付けるテープと、
第１の端部が上記ドラム近傍まで伸び、上記ドラムに対し可動する可動部と
を有し、
上記第１の端部には可動部凹部が、上記対向部には対向爪部が設けられ、
上記ドラムに上記媒体が最も少ない数量巻き付いた最薄状態から、上記ドラムに上記媒体が最も多い数量巻き付いた最厚状態にかけての任意の状態において、上記可動部凹部と上記対向爪部とは噛合している
媒体収納繰出装置。
【請求項８】
上記対向部は、プレート状である
請求項１、請求項６又は請求項７の何れかに記載の媒体収納繰出装置。
【発明の詳細な説明】
【技術分野】
【０００１】
本発明は、媒体収納繰出装置及び媒体取引装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する金種カセットとを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各金種カセットへ収納する。
【０００５】
一時保留部としては、例えば回転する円筒状のドラム及び互いに対向する１組の長いテープを有し、各テープの一端をドラムの周側面に重ねるように固定したものが提案されている（例えば、特許文献１参照）。
【０００６】
そのような一時保留部を図１０〜図１２に示す。一時保留部１１５は、一時保留部筐体１２０に各部品が取り付けられた構成となっている。
【０００７】
この一時保留部１１５は、鑑別部等から順次搬送されてくる紙幣ＢＬを可動ガイド１４１によりガイドしながら上側テープ３３及び下側テープ３６により紙幣ＢＬの搬送方向に直交する左右方向の中央部分を両面から挟み、ドラム３１を回転させてそのまま周側面に巻き付けることにより、一時保留部筐体１２０の内側面１２０Ｅとドラム３１の周側面との間の空間に紙幣ＢＬを一時的に保留するようになされている。
【０００８】
可動ガイド１４１は、ドラム３１に巻かれた紙幣ＢＬの厚みの変化に合わせて、回動軸４５を中心として回動するため、図１２中左側の先端部分と、一時保留部筐体１２０の内側面１２０Ｅとの間には、隙間ＳＰが開いている。
【先行技術文献】
【特許文献】
【０００９】
【特許文献１】特開２０１０−１１２３公報
【発明の概要】
【発明が解決しようとする課題】
【００１０】
ところで、紙幣ＢＬには、市場で流通する過程において端部から切れ目が入ることがある。そのような紙幣ＢＬをドラム３１に一旦巻き取った後に放出する場合、搬送方向に沿って裂けている切れ目が上側テープ３３及び下側テープ３６から紙幣ＢＬの幅方向にずれて位置した状態で、紙幣ＢＬが搬送されることがある。
【００１１】
そのような紙幣ＢＬがドラム３１から繰り出される際、図１３に示すように、紙幣ＢＬは、切れ目から幅方向の外側部分がドラム３１の回転に伴って浮き上がってめくれ、可動ガイド１４１と一時保留部筐体１２０の内側面１２０Ｅとの間の隙間ＳＰに入り込み、いわゆる紙詰まりを引き起こしてしまう恐れがあった。
【００１２】
本発明は以上の点を考慮してなされたもので、信頼性を格段に高め得る媒体収納繰出装置及び媒体取引装置を提案しようとするものである。
【課題を解決するための手段】
【００１３】
かかる課題を解決するため本発明の媒体収納繰出装置においては、円筒状でなり回転可能に支持され紙葉状の媒体を周側面に巻き付けることにより、当該周側面に対向する対向部と当該周側面との間に媒体を保持するドラムと、一端がドラムの周側面に巻き付けられ、当該ドラムの回転に伴い、媒体を当該ドラムの周側面との間に挟んで巻き付けるテープと、第１の端部がドラム近傍まで伸び、ドラムに対し可動すると共に、第１の端部が対向部よりもドラムから離隔して位置する可動部とを設け、第１の端部には、可動部凹部が設けられ、対向部には、第１の端部に向かって突出し、可動部凹部と噛合する対向爪部が設けられ、可動部は、ドラムに媒体が最も少ない数量巻き付いた最薄状態から、ドラムに媒体が最も多い数量巻き付いた最厚状態にかけて、第１の端部が対向部よりもドラムから離隔して位置しているようにした。
【００１４】
この媒体収納繰出装置は、可動部と対向部とに沿わせて媒体を搬送することにより、隙間に媒体が入り込まないようにすることができる。
【００１５】
また本発明の媒体取引装置においては、紙葉状の媒体に関する取引を受け付ける接客部と、接客部により受け付けた媒体を搬送する搬送部と、円筒状でなり回転可能に支持され媒体を周側面に巻き付けることにより、当該周側面に対向する対向部と当該周側面との間に媒体を保持するドラムと、一端がドラムの周側面に巻き付けられ、当該ドラムの回転に伴い、媒体を当該ドラムの周側面との間に挟んで巻き付けるテープと、第１の端部がドラム近傍まで伸び、ドラムに対し可動すると共に、第１の端部が対向部よりもドラムから離隔して位置する可動部とを設け、第１の端部には、可動部凹部が設けられ、対向部には、第１の端部に向かって突出し、可動部凹部と噛合する対向爪部が設けられ、可動部は、ドラムに媒体が最も少ない数量巻き付いた最薄状態から、ドラムに媒体が最も多い数量巻き付いた最厚状態にかけて、第１の端部が対向部よりもドラムから離隔して位置しているようにした。
【００１６】
この媒体取引装置は、可動部と対向部とに沿わせて媒体を搬送することにより、隙間に媒体が入り込まないようにすることができる。
【発明の効果】
【００１７】
本発明によれば、可動部と対向部とに沿わせて媒体を搬送することにより、隙間に媒体が入り込まないようにすることができる。かくして本発明は、信頼性を格段に高め得る媒体収納繰出装置及び媒体取引装置を実現できる。
【図面の簡単な説明】
【００１８】
【図１】現金自動預払機の構成における前面、左側面及び上面を示す斜視図である。
【図２】紙幣入出金機の構成を示す左側面図である。
【図３】一時保留部の外観構成における左側面及び上面を示す斜視図である。
【図４】一時保留部の外観構成を示す上面図である。
【図５】最薄状態における一時保留部の内部構成における左側面図である。
【図６】最厚状態における一時保留部の内部構成における左側面図である。
【図７】最薄状態から最厚状態における可動ガイドの軌道を示す略線図である。
【図８】ガイド先端角度を示す略線図である。
【図９】ドラムから紙幣を繰り出す状態を示す左側面図である。
【図１０】従来の一時保留部の外観構成における左側面及び上面を示す斜視図である。
【図１１】従来の一時保留部の外観構成を示す上面図である。
【図１２】従来の一時保留部の内部構成における左側面図である。
【図１３】従来の一時保留部においてドラムから紙幣を繰り出す状態を示す左側面図である。
【発明を実施するための形態】
【００１９】
以下、発明を実施するための形態（以下実施の形態とする）について、図面を用いて説明する。
【００２０】
＜１．実施の形態＞
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２１】
筐体２は、その前側に顧客が対峙した状態で紙幣の投入やタッチパネルによる操作等をしやすい箇所、すなわち前面の上部から上面に渡る部分が斜めに切り落とされたような形状となっており、この部分に接客部３が設けられている。
【００２２】
接客部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２３】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２４】
入出金口５は、顧客が入金する紙幣が投入されると共に、顧客へ出金する紙幣が排出される部分である。また入出金口５は、シャッタを駆動することにより開放又は閉塞するようになされている。因みに紙幣は、例えば長方形の紙で構成されている。
【００２５】
操作表示部６は、取引に際して操作画面を表示するＬＣＤ（Liquid Crystal Display）と、取引の種類の選択、暗証番号や取引金額等を入力するタッチパネルとが一体化されている。
【００２６】
テンキー７は、「０」〜「９」の数字等の入力を受け付ける物理キーであり、暗証番号や取引金額等の入力操作時に用いられるようになされている。
【００２７】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００２８】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２９】
筐体２内には、現金自動預払機１全体を統括制御する主制御部９や、紙幣に関する種々の処理を行う紙幣入出金機１０等が設けられている。
【００３０】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行うようになされている。
【００３１】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３２】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣を保護する。一方筐体２は、作業者等が保守作業を行う保守作業時には、必要に応じて各扉を開放することにより、内部の各部に対する作業を容易に行わせ得るようになされている。
【００３３】
紙幣入出金機１０は、図２に側面図を示すように、紙幣に関する種々の処理を行う複数の部分が組み合わされた構成となっている。また紙幣入出金機１０の各部分は、紙幣制御部１１により制御されるようになされている。
【００３４】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理等、種々の処理を行うようになされている。
【００３５】
また紙幣制御部１１は、内部にＲＡＭ及びフラッシュメモリ等でなる記憶部１１Ａ（図１）を有しており、この記憶部１１Ａに種々の情報を記憶させるようになされている。
【００３６】
紙幣制御部１１は、例えば顧客が紙幣を入金する入金取引を行う場合、操作表示部６を介して所定の操作入力を受け付けた後、入出金口５のシャッタを開いて入出金部１２内へ紙幣を投入させる。
【００３７】
入出金部１２は、紙幣が投入されると、入出金口５のシャッタを閉じてから紙幣を１枚ずつ取り出し、搬送部１３へ受け渡す。搬送部１３は、長方形の紙葉状に構成された紙幣を短辺方向に沿って進行させ、鑑別部１４へ搬送する。
【００３８】
鑑別部１４は、その内部で紙幣を搬送しながら、光学素子や磁気検出素子等を用いて当該紙幣の金種及び真偽、並びに損傷の程度等を鑑別し、その鑑別結果を紙幣制御部１１へ通知する。これに応じて紙幣制御部１１は、取得した鑑別結果に基づいて当該紙幣の搬送先を決定する。
【００３９】
このとき搬送部１３は、鑑別部１４において正常紙幣と鑑別された紙幣を一時保留部１５へ搬送する等して一時的に保留させる一方、取引すべきでないと鑑別されたリジェクト紙幣を入出金部１２へ搬送して顧客に返却する。
【００４０】
その後紙幣制御部１１は、操作表示部６を介して顧客に入金金額を確定させ、一時保留部１５に保留している紙幣を搬送部１３により鑑別部１４へ搬送してその金種及び損傷の程度等を鑑別させ、その鑑別結果を取得する。
【００４１】
そして紙幣制御部１１は、紙幣の損傷の程度が大きければ、これを再利用すべきでない紙幣として搬送部１３によりリジェクト庫１６へ搬送して収納させ、損傷の程度が小さければ、これを再利用すべき紙幣として搬送部１３により鑑別部１４に搬送し、当該鑑別部１４により再び紙幣を鑑別する。
【００４２】
搬送部１３は、鑑別部１４において正常紙幣と鑑別された紙幣を、その金種に応じた紙幣カセット１７に収納させる一方、取引すべきでないと鑑別された紙幣を回収庫１８に搬送する。
【００４３】
［１−２．一時保留部の構成］
図３及び図４に外観を示すように、一時保留部１５は、一時保留部筐体２０に各部品が取り付けられた構成となっている。
【００４４】
一時保留部筐体２０は、前側及び後側、左側及び右側、並びに下側といった外周の大部分を隔壁とすることにより、当該隔壁に囲まれた内部空間２０Ａを形成している。また一時保留部筐体２０の前側面下方には、内部空間２０Ａ内への紙幣の出入り口となる紙幣入出孔２０Ｃが穿設されている。
【００４５】
その一方で一時保留部筐体２０は、外周のうち上側の隔壁が省略されてなる開放部２０Ｂを介して外部から当該内部空間２０Ａへアクセスできるようになされている。
【００４６】
因みに一時保留部筐体２０の左側及び右側の隔壁内には、図示しないモータから後述するドラムやローラ等へ駆動力を伝達するためのギヤ等が内蔵されている。また一時保留部筐体２０の左側面には、保守作業の際にドラムやローラ等を手動で回転させるための操作ノブ２０Ｄが設けられている。
【００４７】
［１−２−１．ドラム及びテープ走行系の構成］
図５に示すように、ドラム３１は、半径が比較的大きい円筒状に構成されており、一時保留部筐体２０の内部空間２０Ａ（図３）内において、左右方向に沿った回転軸３１Ｘを中心に巻取方向Ｒ１又は繰出方向Ｒ２へ回転し得るように取り付けられている。
【００４８】
図５は、設計上最も少ない数量の紙幣がドラム３１に巻き付けられ、当該ドラム３１の見かけ上の外径が最小となっている最薄状態を、図６は、設計上最も多い数量の紙幣がドラム３１に巻き付けられ、当該ドラム３１の見かけ上の外径が最大となっている最厚状態を示している。
【００４９】
また一時保留部１５では、上側テープ３３及び下側テープ３６の２本のテープを走行させるようになされている。
【００５０】
上側リール３２は、糸巻き状に構成されており、ドラム３１の上側、すなわち開放部２０Ｂ（図３）側における後方寄り且つ左右のほぼ中央となる箇所に、ドラム３１の回転軸３１Ｘと平行な回転軸３２Ｘを中心に回転するように設けられている。
【００５１】
上側リール３２には、テープとしての上側テープ３３が巻き付けられている。上側テープ３３は、薄いフィルム状の樹脂でなり、そのテープ幅が紙幣の長辺よりも十分に短く、且つ長手方向に十分な長さを有している。
【００５２】
上側リール３２から見てドラム３１よりも前側、すなわち紙幣入出孔２０Ｃ（図３）側には、比較的小さい円筒状に形成された上側ローラ３４が設けられている。
【００５３】
上側ローラ３４は、軸方向の長さが上側テープ３３のテープ幅よりも長くなるよう形成され、ドラム３１の回転軸３１Ｘと平行な回転軸３４Ｘを中心に自在に回転するようになされている。
【００５４】
上側リール３２から引き出された上側テープ３３は、開放部２０Ｂ（図３）を横切るように前方向へ掛け渡された後、上側ローラ３４を介して引き回されることにより後下方向へ折り返される。
【００５５】
さらに上側テープ３３は、後述する可動ガイド４１に設けられた所定のローラによりドラム３１に押し当てられ、その先端部が当該ドラム３１に固定されている。
【００５６】
また上側リール３２は、図示しないテンションスプリングにより、上側テープ３３を巻き取る方向である巻取方向Ｖ１へ付勢されている。これにより一時保留部１５は、上側テープ３３に常に所定の張力を持たせるようになされている。
【００５７】
下側リール３５は、上側リール３２と同様の糸巻き状に構成されており、当該上側リール３２の下方、すなわちドラム３１の下側における後方寄りの箇所に、ドラム３１の回転軸３１Ｘと平行な回転軸３５Ｘを中心に回転し得るように設けられている。
【００５８】
この下側リール３５には、上側テープ３３と同様に構成された下側テープ３６が巻き付けられている。
【００５９】
また下側リール３５は、図示しないテンションスプリングにより、下側テープ３６を巻き取る方向である巻取方向Ｖ３へ付勢されている。これにより一時保留部１５は、下側テープ３６に常に所定の張力を持たせるようになされている。
【００６０】
因みに下側リール３５における下側テープ３６の巻取方向Ｖ３は、上側リール３２における上側テープ３３の巻取方向Ｖ１とは反対となっている。
【００６１】
下側リール３５の前方には、ドラム３１の回転軸３１Ｘと平行な回転軸３７Ｘを中心に回転する下側ローラ３７が設けられている。
【００６２】
下側ローラ３７は、上側ローラ３４と同様に円筒状に構成されており、左右方向の長さが下側テープ３６のテープ幅よりも長く、且つ左右のほぼ中央となる箇所に設けられている。
【００６３】
下側リール３５から引き出された下側テープ３６は、前方向へ渡された後、下側ローラ３７を介して引き回されることにより、上方向へ向かう。さらに下側テープ３６は、後述する媒体ガイド４２に設けられた所定のローラを介して後方向へ向かった後ドラム３１に押し当てられており、その先端部が当該ドラム３１に固定されている。
【００６４】
ここで下側テープ３６は、その先端がドラム３１の周側面に固定されている。また上側テープ３３は、その先端がドラム３１の外周面において当該下側テープ３６の外周側に重なるように固定されている。
【００６５】
かかる構成により一時保留部１５は、ドラム３１を巻取方向Ｒ１へ回転させると、その周側面に下側テープ３６及び上側テープ３３を重ねるようにして巻き付けていく。
【００６６】
このとき一時保留部１５は、下側テープ３６と上側テープ３３との間に紙幣を挟み、当該下側テープ３６及び上側テープ３３と共に当該紙幣をドラム３１の周側面に巻き付けることにより、紙幣をドラム３１の周側面と一時保留部筐体２０の内側面２０Ｅとの間の空間に保持していく。
【００６７】
［１−２−２．可動ガイドの構成］
可動部４０は、上側の可動ガイド４１及び下側の媒体ガイド４２が連結部４３により連結された構成となっている。また可動ガイド４１及び媒体ガイド４２の間には、紙幣の厚さよりも充分に広い隙間でなる搬送路４４が形成されている。
【００６８】
媒体ガイド４２は、左右側面から見て滴状又は楔状に形成されており、その前側下方において回動軸４５が左右方向に貫通している。一方、一時保留部筐体２０（図３）における左右の内側面には、前側の上方に回動軸４５と対応する回動孔（図示せず）が設けられている。
【００６９】
この媒体ガイド４２は、回動軸４５を一時保留部筐体２０の回動孔に挿通させるよう取り付けられると、この回動軸４５を中心として、一時保留部筐体２０に対し開方向Ｗ１又は閉方向Ｗ２（図５）へ回動することができる。
【００７０】
一方可動ガイド４１は、全体として、一時保留部筐体２０（図３）の上側に形成された開放部２０Ｂにおいてドラム３１を上側から覆うような、湾曲した板状に形成されている。
【００７１】
すなわち可動ガイド４１は、図５に示したように、おおむねドラム３１の前側部分から媒体ガイド４２の後側部分までの範囲を覆う中央部分において、その下面がほぼ平面状に形成されている。また可動ガイド４１は、ドラム３１の後側を覆う後側部分において、当該ドラム３１の外周面よりも大きな曲率半径の円弧を描くように、その下面が後方へ進むに連れて下方へ垂れ下がる形状となっている。さらに可動ガイド４１は、媒体ガイド４２の前側部分と対向する前側部分において、当該媒体ガイド４２の上面形状に合わせるように、すなわち搬送路４４を形成するように、その下面が前方へ進むにつれて下方へ垂れ下がる形状となっている。
【００７２】
ところで可動ガイド４１におけるドラム３１の上端近傍には、ドラム３１を貫通する回転軸３１Ｘのほぼ真上となる位置に、円筒状に構成されると共に左右方向に沿った軸に貫通され自在に回転する巻付ローラ５３が、当該可動ガイド４１の下面から下側を露出させるように設けられている。
【００７３】
ここで可動部４０は、実際には重力により閉方向Ｗ２へ向かう力が作用し、可動ガイド４１の下側における巻付ローラ５３をドラム３１の周側面に当接させる。このため可動ガイド４１は、ドラム３１が回転する際に、長辺方向に折れ曲がる恐れを有しながらも中央部分のみが上側テープ３３及び下側テープ３６により挟持された紙幣を、長辺方向に伸ばしながら当該ドラム３１の周側面に押し付けるようガイドすることができる。
【００７４】
ここでドラム３１は、多数の紙幣が順次巻き付けられるに連れて、見かけ上の外径が増加していく。これに応じて可動部４０は、可動ガイド４１がドラム３１により上方向へ徐々に持ち上げられることになり、回動軸４５を中心に開方向Ｗ１へ回動することになる。
【００７５】
この結果、可動部４０は、可動ガイド４１における巻付ローラ５３を常にドラム３１に当接させることができ、紙幣の搬送方向及び搬送先を当該ドラム３１の外周面に追従させることができる。
【００７６】
かかる構成により可動部４０は、前側から紙幣が搬送路４４へ挿入された場合、ドラム３１の周側面における上端近傍において当該紙幣を上側テープ３３及び下側テープ３６の間に挟んだ状態でドラム３１の周側面に当接させる。
【００７７】
この状態において一時保留部１５は、ドラム３１を巻取方向Ｒ１へ回転させることにより、上側テープ３３及び下側テープ３６の間に挟んだ紙幣をドラム３１の周側面に巻き付けていくことができる。
【００７８】
［１−２−３．ガイド爪部及び筐体爪部の構成］
一時保留部筐体２０の内側面２０Ｅの後端の上部分には、図４に示すように左右方向に所定の幅を有する筐体爪部６０が、左右方向に一定間隔を空けて、前方に向かって複数個突設している。
【００７９】
筐体爪部６０は、側面視（図６）において略三角形状となっており、下方から上方に向かうに連れて前後方向の長さが長くなっている。
【００８０】
以下では、複数の筐体爪部６０が左右方向に併設されることにより、ドラム３１の周側面に対向し当該複数の筐体爪部６０の前端にわたって仮想的に形成された面を、対向部６４とも呼ぶ。
【００８１】
すなわち、一時保留部筐体２０の後方の内側面２０Ｅの上部分は、平面視（図４）において筐体爪部６０が形成されていない部分（以下、筐体爪凹部６６とも呼ぶ）が対向部６４から後方に凹んだ構成となっている。
【００８２】
一方可動ガイド４１の後端には、平面視において、左右方向に筐体爪部６０とほぼ同様の幅を有するガイド爪部６２が、左右方向に筐体爪部６０とほぼ同様の間隔を空けて、後方に向かって複数個突設している。
【００８３】
すなわち可動ガイド４１の後端は、平面視においてガイド爪部６２が形成されていない部分（以下、ガイド爪凹部６８とも呼ぶ）が、当該可動ガイド４１の後端から前方に凹んだ構成となっている。
【００８４】
ガイド爪部６２の左右方向の幅は、筐体爪凹部６６の幅よりも狭く形成されている。また筐体爪部６０の幅は、ガイド爪凹部６８の幅よりも狭く形成されている。
【００８５】
このためガイド爪部６２と筐体爪部６０とは互いに遊嵌しつつ噛合した状態となっている。これにより可動ガイド４１の後端は、対向部６４よりも後方に、すなわち対向部６４よりもドラム３１から離接して位置している。
【００８６】
以下では、複数のガイド爪部６２が左右方向に併設されることにより、当該複数のガイド爪部６２の前端においてドラム３１の周側面に対向して仮想的に形成された面を、ガイド先端面７０とも呼ぶ。
【００８７】
また図５に示した最薄状態から、図７に示す最厚状態へ変化する際、可動ガイド４１はドラム３１に巻かれた紙幣ＢＬの厚みの変化に合わせて、回動軸４５を中心として回動するため、当該可動ガイド４１の後端（ガイド爪部６２）は、図７に示す軌道Ｔに沿って、やや前方に移動しながら上方へ移動する。図７においては最薄状態のガイド爪部６２を破線で示している。
【００８８】
筐体爪部６０は、上述したように側面視において下方から上方に向かうに連れて前後方向の長さが長くなっている。
【００８９】
このため一時保留部１５は、最薄状態から最厚状態まで移動する際に、常にガイド爪部６２と筐体爪部６０とが噛合した状態となっている。
【００９０】
また図８に示すように、最厚状態において、回転軸３１Ｘの中心から、ガイド先端面７０と対向部６４とが交わる部分である交点Ｐに向かって伸びる仮想的な線を径方向線ＬＲとする。
【００９１】
ここで、交点Ｐにおいて径方向線ＬＲに直交し、繰出方向Ｒ２にほぼ沿う方向は、紙幣ＢＬがドラム３１から繰り出される際の当該紙幣ＢＬの先端の進行方向ＤＭとなる。
【００９２】
交点Ｐにおけるガイド爪部６２のガイド先端面７０と、進行方向ＤＭとがなす角度（以下ガイド先端角度ＡＴとも呼ぶ）は３０度以下に設定されている。
【００９３】
［１−３．動作及び効果］
以上の構成において、紙幣ＢＬを繰り出す際、一時保留部１５は、ドラム３１を繰出方向Ｒ２へ回転させると共に上側リール３２及び下側リール３５を巻取方向Ｖ１及びＶ３へ回転させることにより、当該上側リール３２及び下側リール３５に上側テープ３３及び下側テープ３６をそれぞれ巻き取っていく。
【００９４】
これにより一時保留部１５は、紙幣ＢＬをドラム３１の外周から引き剥がして、搬送路４４を介し外部に繰り出す。
【００９５】
このとき、上側テープ３３及び下側テープ３６から幅方向にずれて搬送方向に沿って切れ目が存在する紙幣ＢＬが搬送された場合、図９に示すように、切れ目から幅方向の外側部分がドラム３１の回転に伴って浮き上がってめくれることがある。
【００９６】
ガイド爪部６２と筐体爪部６０とは、紙幣の長辺方向の長さよりも十分に短い間隔で左右方向に沿って噛合しているため、紙幣ＢＬの一部分は、筐体爪部６０の対向部６４と可動ガイド４１のガイド先端面７０とに沿いながら、めくれが抑制され、繰り出される。
【００９７】
このように一時保留部１５は、紙幣ＢＬの一部がめくれたとしても、可動ガイド４１と一時保留部筐体２０との間に入り込ませることなく繰り出すことができる。
【００９８】
ところで一般的に、紙幣が進行しており周囲の物体に当接して方向が変化される際、当該紙幣の先端の進行方向から３０度（以下、座屈限界角度とも呼ぶ）以内の角度であれば、当該紙幣の先端は座屈することなく、正常に搬送される。
【００９９】
また、ほぼ平面状に形成された対向部６４に対し、ガイド爪部６２は円弧を描くような軌道Ｔに沿って移動するため、ガイド先端角度ＡＴは、最薄状態から最厚状態に向かうに連れて大きくなっていく。
【０１００】
すなわち、最薄状態から最厚状態に向かうに連れて、紙幣ＢＬが繰り出される際、座屈し易い状態へ向かっていく。
【０１０１】
これに対し一時保留部１５は、最厚状態においてもガイド先端角度ＡＴを座屈限界角度以下に設定するようにした。
【０１０２】
このため一時保留部１５は、最厚状態においても紙幣を座屈させることなくスムーズに繰り出すことができる。
【０１０３】
また一時保留部１５は、ガイド爪部６２と筐体爪部６０とを噛合した状態としたため、紙幣ＢＬをドラム３１に巻き取る際も、当該紙幣ＢＬをガイド爪部６２と一時保留部筐体２０との隙間に入り込ませることなく、ガイドすることができる。
【０１０４】
ところで、紙幣ＢＬにおける、上側テープ３３及び下側テープ３６に挟持されている部分に切れ目が入っていたとしても、当該紙幣ＢＬはめくれることはない。
【０１０５】
このため平面視（図４）における上側テープ３３の裏側には、筐体爪部６０及びガイド爪部６２は形成されていない。
【０１０６】
これにより一時保留部１５は、従来の一時保留部１１５に比べて追加する部材を最小限に抑えることができる。
【０１０７】
以上の構成によれば、一時保留部１５は、円筒状でなり回転可能に支持されたドラム３１の周側面に紙幣ＢＬを巻き付けることにより、当該周側面に対向する対向部６４と当該周側面との間に紙幣ＢＬを保持し、一端がドラム３１の周側面に巻き付けられた上側テープ３３及び下側テープ３６により、ドラム３１の回転に伴い、一時保留部筐体２０の外部から紙幣入出孔２０Ｃを介し供給される紙幣ＢＬを当該ドラム３１の周側面との間に挟んで巻き付け、紙幣入出孔２０Ｃ近傍を一端とし他端がドラム３１近傍まで伸び、ドラム３１に対し可動しつつ紙幣ＢＬをドラム３１の周側面に押し付ける可動部４０の、他端を対向部６４よりもドラム３１から離隔して位置するようにした。
【０１０８】
これにより一時保留部１５は、筐体爪部６０とガイド爪部６２とに沿わせて紙幣ＢＬを搬送することにより、一時保留部筐体２０の内側面２０Ｅと可動部４０との隙間に紙幣ＢＬが入り込まないようにすることができる。かくして一時保留部１５は、紙幣ＢＬのジャムを防ぎ、信頼性を格段に高めることができる。
【０１０９】
＜２．他の実施の形態＞
なお上述した実施の形態においては、一定の幅を有する筐体爪部６０及びガイド爪部６２を、左右方向に一定の間隔を空けて形成する場合について述べた。
【０１１０】
本発明はこれに限らず、例えば筐体爪部６０及びガイド爪部６２を、左右方向端部から中央部分に連れて幅を広くしたり、間隔を広くしたりしても良い。この場合、筐体爪部６０及びガイド爪部６２の幅を広くするほど、強度を高めることができる。このため内部空間２０Ａから紙幣ＢＬを取り出される際に作業者により筐体爪部６０及びガイド爪部６２に接触されてしまっても、破損しにくくすることができる。
【０１１１】
また上述した実施の形態においては、一時保留部１５に上側テープ３３及び下側テープ３６を一組のみ設ける場合について述べた。
【０１１２】
本発明はこれに限らず、一時保留部１５に上側テープ及び下側テープを二組以上設けるようにしても良い。この場合、二組の上側テープ及び下側テープの幅方向の外側に紙幣ＢＬの切れ目が位置している場合、当該切れ目よりも外側がめくれやすくなるが、その場合でも一時保留部１５は、可動ガイド４１と一時保留部筐体２０との間に紙幣ＢＬを入り込ませることなく繰り出すことができる。
【０１１３】
さらに上述した実施の形態においては、一時保留部筐体２０の上側に開放部２０Ｂを設けると共に可動部４０をドラム３１よりも上側に配置し、重力の作用により可動部４０の可動ガイド４１をドラム３１の外周面に押し付けるようにした場合について述べた。
【０１１４】
しかしながら本発明はこれに限らず、一時保留部筐体２０の前側、後ろ側や下側に開放部２０Ｂを設け、当該開放部２０Ｂを覆うように可動部４０をドラム３１の前側、後ろ側や下側に配置し、ばね等の付勢手段の作用により可動部４０の可動ガイド４１をドラム３１の外周面に押し付けるようにしても良い。
【０１１５】
さらに上述した実施の形態においては、一時保留部１５により上側テープ３３及び下側テープ３６の間に紙幣ＢＬを挟持した状態で、当該紙幣ＢＬをドラム３１の外周面に巻き付けるようにした場合について述べた。
【０１１６】
本発明はこれに限らず、例えば一時保留部１５から下側テープ３６及びこれに関連する機構を省略し、上側テープ３３の紙幣ＢＬと当接する面に粘着性を持たせ、この粘着性により紙幣ＢＬを上側テープ３３に貼り付けて仮止めした状態で、上側テープ３３を紙幣ＢＬの外周側に重ねるようにしてドラム３１の外周面に巻き付けるようにしても良い。
【０１１７】
さらに上述した実施の形態においては、本発明を現金自動預払機１の一時保留部１５に適用するようにした場合について述べた。
【０１１８】
しかしながら本発明はこれに限らず、例えば紙幣の鑑別や計数のみを行う装置等、紙幣ＢＬを上側テープ３３及び下側テープ３６の間に挟みドラム３１に巻き付けて一時的に保留する種々の装置に適用するようにしても良い。
【０１１９】
さらに上述した実施の形態においては、金融機関等において顧客との間で現金に関する取引を行う現金自動預払機１の一時保留部１５において、媒体としての紙幣ＢＬを保留するようにした場合について述べた。
【０１２０】
しかしながら本発明はこれに限らず、例えば金融機関等において職員が現金に関する各種処理を行うための出納システムに組み込まれる一時保留部に適用するようにしても良く、或いは商品券や金券、入場券等のような紙葉状の媒体を保留する種々の装置に適用するようにしても良い。この場合、媒体の大きさや形状に応じて上側テープ３３及び下側テープ３６のテープ幅や数等を適宜定めれば良い。
【０１２１】
さらに上述した実施の形態においては、ドラムとしてのドラム３１と、テープとしての上側テープ３３又は下側テープ３６と、可動部としての可動部４０とによって媒体収納繰出装置としての一時保留部１５を構成する場合について述べた。
【０１２２】
しかしながら本発明はこれに限らず、その他種々の構成でなるドラムと、テープと、可動部とによって媒体収納繰出装置を構成するようにしても良い。
【０１２３】
さらに上述した実施の形態においては、接客部としての接客部３と、搬送部としての搬送部１３と、ドラムとしてのドラム３１と、テープとしての上側テープ３３又は下側テープ３６と、可動部としての可動部４０とによって媒体取引装置としての現金自動預払機１を構成する場合について述べた。
【０１２４】
しかしながら本発明はこれに限らず、その他種々の構成でなる接客部と、搬送部と、ドラムと、テープと、可動部とによって媒体取引装置を構成するようにしても良い。
【産業上の利用可能性】
【０１２５】
本発明は、紙幣等の紙状の媒体をテープと共にドラムに巻き付けて一時的に保留する種々の装置でも利用できる。
【符号の説明】
【０１２６】
１……現金自動預払機、２……筐体、３……接客部、４……カード入出口、５……入出金口、６……操作表示部、７……テンキー、８……レシート発行口、９……主制御部、９Ａ……記憶部、１０……紙幣入出金機、１１……紙幣制御部、１１Ａ……記憶部、１２……入出金部、１３……搬送部、１４……鑑別部、１５……一時保留部、１６……リジェクト庫、１７……紙幣カセット、１８……回収庫、２０……一時保留部筐体、２０Ａ……内部空間、２０Ｂ……開放部、２０Ｃ……紙幣入出孔、２０Ｄ……操作ノブ、２０Ｅ……内側面、３１……ドラム、３２……上側リール、３３……上側テープ、３４……上側ローラ、３５……下側リール、３６……下側テープ、３７……下側ローラ、４０……可動部、４１……可動ガイド、４２……媒体ガイド、４３……連結部、４４……搬送路、４５……回動軸、５３……巻付ローラ、６０……筐体爪部、６２……ガイド爪部、６４……対向部、６６……筐体爪凹部、６８……ガイド爪凹部、７０……ガイド先端面、ＢＬ……紙幣、Ｐ……交点、ＡＴ……ガイド先端角度、ＬＲ……径方向線、ＤＭ……進行方向。
【図１】
0005831321.tif 000002
【図２】
0005831321.tif 000003
【図３】
0005831321.tif 000004
【図４】
0005831321.tif 000005
【図５】
0005831321.tif 000006
【図６】
0005831321.tif 000007
【図７】
0005831321.tif 000008
【図８】
0005831321.tif 000009
【図９】
0005831321.tif 000010
【図１０】
0005831321.tif 000011
【図１１】
0005831321.tif 000012
【図１２】
0005831321.tif 000013
【図１３】
0005831321.tif 000014